(57)【要約】【課題】いかなる撮影状況であっても曝射スイッチを押すことができる移動式Ｘ線撮影装置を提供することを目的とする。【解決手段】従来では操作部４に曝射スイッチ５１を配設しているのに加えて、さらに、操作部４とは別の箇所にも曝射スイッチを配設している。例えば、移動式台車２の走行方向Ｒ１に向かって前方に撮影技師が立って撮影を行う場合には、その前方に曝射スイッチ５２を配設することで、操作部４とは別の箇所にも曝射スイッチ５２を配設している。このように前方に曝射スイッチ５２を配設することで、前方に撮影技師が立って撮影を行う場合に撮影技師は曝射スイッチ５２に手が届き、曝射スイッチ５２を押すことができる。その結果、いかなる撮影状況であっても撮影技師は曝射スイッチに手が届き、曝射スイッチを押すことができる。【選択図】図１
2011083649.tif 000002
【特許請求の範囲】
【請求項１】
移動式台車と、その移動式台車に設けられてＸ線を照射することでＸ線撮影を行うＸ線照射手段とを備えた移動式Ｘ線撮影装置であって、操作手段を備え、その操作手段に曝射スイッチを配設するとともに、操作手段とは別の箇所にも曝射スイッチを配設することを特徴とする移動式Ｘ線撮影装置。
【請求項２】
請求項１に記載の移動式Ｘ線撮影装置において、前記操作手段は、前記移動式台車の移動に関する操作を行うことを特徴とする移動式Ｘ線撮影装置。
【請求項３】
請求項１または請求項２に記載の移動式Ｘ線撮影装置において、前記操作手段は、Ｘ線撮影に関する入力操作を行うことを特徴とする移動式Ｘ線撮影装置。
【請求項４】
請求項１から請求項３のいずれかに記載の移動式Ｘ線撮影装置において、前記移動式台車の走行方向に向かって前方に前記曝射スイッチを配設することで、前記操作手段とは別の箇所にも曝射スイッチを配設することを特徴とする移動式Ｘ線撮影装置。
【請求項５】
請求項１から請求項４のいずれかに移動式Ｘ線撮影装置において、Ｘ線撮影を行う領域である撮影領域側に前記曝射スイッチを配設することで、前記操作手段とは別の箇所にも曝射スイッチを配設することを特徴とする移動式Ｘ線撮影装置。
【請求項６】
請求項１から請求項５のいずれかに記載の移動式Ｘ線撮影装置において、前記Ｘ線照射手段に前記曝射スイッチを配設することで、前記操作手段とは別の箇所にも曝射スイッチを配設することを特徴とする移動式Ｘ線撮影装置。
【発明の詳細な説明】
【技術分野】
【０００１】
この発明は、移動台車とＸ線照射手段とを備えた移動式Ｘ線撮影装置に係り、特に、曝射スイッチを配設する技術に関する。
【背景技術】
【０００２】
従来、この種の装置として、移動式台車を走行させて回診を行いながらＸ線撮影を行う回診用Ｘ線撮影装置がある（例えば、特許文献１、２参照）。かかる装置では、病室のベッドサイドまで移動式台車をＸ線照射部とともに走行させて、ベッドサイドの被検体（患者）のＸ線撮影を行う。撮影時には、移動式台車の移動に関する操作を行うハンドルに配設されている曝射スイッチあるいはＸ線撮影に関する入力操作を行う入力操作パネルに配設されている曝射スイッチを押すことで、Ｘ線照射部のＸ線管からＸ線を被検体に向けて照射する。そして、被検体を透過したＸ線をＸ線検出部が検出して画像処理を行うことでＸ線撮影を行う。
【先行技術文献】
【特許文献】
【０００３】
【特許文献１】特開平０４−１９０２２４号公報
【特許文献２】特開平１１−１８８０２５号公報
【発明の概要】
【発明が解決しようとする課題】
【０００４】
しかしながら、相部屋等で互いに隣接するベッド間が狭い場合、ベッド間に装置を入れた際に、ハンドルや入力操作パネルとは逆側に撮影技師が立つ。また、被検体を介添えさせながら撮影を行う場合には、被検体側に撮影技師が立つ。かかる場合には、撮影技師はバンドルや入力操作パネルに配設された曝射スイッチに手が届かない。
【０００５】
この発明は、このような事情に鑑みてなされたものであって、いかなる撮影状況であっても曝射スイッチを押すことができる移動式Ｘ線撮影装置を提供することを目的とする。
【課題を解決するための手段】
【０００６】
この発明は、このような目的を達成するために、次のような構成をとる。
すなわち、請求項1に記載の発明は、移動式台車と、その移動式台車に設けられてＸ線を照射することでＸ線撮影を行うＸ線照射手段とを備えた移動式Ｘ線撮影装置であって、操作手段を備え、その操作手段に曝射スイッチを配設するとともに、操作手段とは別の箇所にも曝射スイッチを配設することを特徴とするものである。
【０００７】
［作用・効果］請求項1に記載の発明によれば、従来では操作手段に曝射スイッチを配設しているのに加えて、さらに、操作手段とは別の箇所にも曝射スイッチを配設することで、いかなる撮影状況であっても撮影技師は曝射スイッチに手が届き、曝射スイッチを押すことができる。
【０００８】
なお、上述した操作手段は、移動式台車の移動に関する操作を行う（請求項２に記載の発明）、あるいはＸ線撮影に関する入力操作を行う（請求項３に記載の発明）ものである。したがって、従来では、移動式台車の移動に関する操作を行うハンドル、あるいはＸ線撮影に関する入力操作を行う入力操作パネルに曝射スイッチを配設しているのに加えて、下記のような箇所にも曝射スイッチを配設すればよい。
【０００９】
例えば、移動式台車の走行方向に向かって前方に撮影技師が立って撮影を行う場合には、その前方に曝射スイッチを配設することで、操作手段とは別の箇所にも曝射スイッチを配設する（請求項４に記載の発明）。このように前方に曝射スイッチを配設することで、前方に撮影技師が立って撮影を行う場合に撮影技師は曝射スイッチに手が届き、曝射スイッチを押すことができる。
【００１０】
また、例えば、Ｘ線撮影を行う領域である撮影領域側に撮影技師が立って撮影を行う場合には、その撮影領域側に曝射スイッチを配設することで、操作手段とは別の箇所にも曝射スイッチを配設する（請求項５に記載の発明）。このように撮影領域側に曝射スイッチを配設することで、撮影領域側に撮影技師が立って撮影を行う場合に撮影技師は曝射スイッチに手が届き、曝射スイッチを押すことができる。
【００１１】
また、例えば、上述したＸ線照射手段に撮影技師が立って撮影を行う場合には、そのＸ線照射手段に曝射スイッチを配設することで、操作手段とは別の箇所にも曝射スイッチを配設する（請求項６に記載の発明）。このようにＸ線照射手段に曝射スイッチを配設することで、Ｘ線照射手段に撮影技師が立って撮影を行う場合に撮影技師は曝射スイッチに手が届き、曝射スイッチを押すことができる。
【発明の効果】
【００１２】
この発明に係る移動式Ｘ線撮影装置によれば、従来では操作手段に曝射スイッチを配設しているのに加えて、さらに、操作手段とは別の箇所にも曝射スイッチを配設することで、いかなる撮影状況であっても曝射スイッチを押すことができる。
【図面の簡単な説明】
【００１３】
【図１】実施例１に係る回診用Ｘ線撮影装置の概略側面図である。
【図２】実施例２に係る回診用Ｘ線撮影装置の概略側面図である。
【図３】実施例３に係る回診用Ｘ線撮影装置の概略側面図である。
【実施例１】
【００１４】
以下、図面を参照してこの発明の実施例１を説明する。
図１は、実施例１に係る回診用Ｘ線撮影装置の概略側面図である。後述する実施例２，３も含めて、本実施例１では、移動式Ｘ線撮影装置として回診用Ｘ線撮影装置を例に採って説明する。
【００１５】
図１に示すように、本実施例１に係る回診用Ｘ線撮影装置１は、４輪タイプで後輪駆動型の移動式台車２と、その移動式台車２に設けられてＸ線を照射することでＸ線撮影を行うＸ線照射部３と、移動式台車２の走行方向Ｒ１に向かって後方に設けられた操作部４とを備えている。移動式台車２は、この発明における移動式台車に相当し、Ｘ線照射部３は、この発明におけるＸ線照射手段に相当し、操作部４は、この発明における操作手段に相当する。
【００１６】
移動式台車２は、台車本体２１と、移動式台車２の走行方向Ｒ１に向かって台車本体２１の前方の底部に設けられた前輪２２と、移動式台車２の走行方向Ｒ１に向かって台車本体２１の後方の底部に設けられた後輪２３とを備えている。台車本体２１には、Ｘ線照射部３の後述するＸ線管３３を制御するＸ線管制御部（図示省略）や、移動式台車２の走行およびＸ線撮影に必要なエネルギを供給するバッテリなどを搭載している。前輪２２は、移動式台車２の走行方向Ｒ１に向かって左右に一対となしており、後輪２３も、移動式台車２の走行方向Ｒ１に向かって左右に一対となしている。上述したように後輪２３には、後輪２３を駆動させる走行用駆動モータ（図示省略）を配設している。
【００１７】
Ｘ線照射部３は、移動式台車２の走行方向Ｒ１に向かって台車本体２１の前方に設けられて鉛直軸心周りに回転可能（図中の矢印Ｒ２を参照）に構成された支柱３１と、支柱３１に水平支持されて昇降移動可能（図中の矢印Ｒ３を参照）に構成された水平アーム３２と、水平アーム３２に鉛直支持されてＸ線を発生させて照射するＸ線管３３と、Ｘ線管３３のＸ線照射側に設けられ照視野を操作するコリメータ３４とを備えている。
【００１８】
台車本体２１に対して鉛直軸心周りに支柱３１を回転させることで、支柱３１に水平支持された水平アーム３２と、水平アーム３２に鉛直支持されたＸ線管３３およびコリメータ３４とが水平面内に回転する。特に、移動式台車２の走行方向Ｒ１に向かって前方にベッドをつけてＸ線撮影を行う場合には、図１の状態から、水平アーム３２とともにＸ線管３３およびコリメータ３４を水平面内に１８０°回転させる。移動式台車２の走行方向Ｒ１に向かって右側にベッドを横づけしてＸ線撮影を行う場合には、図１の状態から、水平アーム３２とともにＸ線管３３およびコリメータ３４を水平面内に反時計周りに９０°回転させる。移動式台車２の走行方向Ｒ１に向かって左側にベッドを横づけしてＸ線撮影を行う場合には、図１の状態から、水平アーム３２とともにＸ線管３３およびコリメータ３４を水平面内に時計周りに９０°回転させる。なお、移動式台車２の走行方向Ｒ１に向かって斜めにベッドをつけてＸ線撮影を行う場合には、図１の状態から、水平アーム３２とともにＸ線管３３およびコリメータ３４を水平面内に、ベッドの長手方向に対して直交するように回転させる。
【００１９】
支柱３１に対して水平アーム３２を昇降移動させることで、水平アーム３２に鉛直支持されたＸ線管３３およびコリメータ３４が昇降移動する。Ｘ線管３３は、上述したＸ線管制御部（図示省略）の高電圧発生部（図示省略）から発生した管電圧や管電流に応じた強度のＸ線を発生させて、コリメータ３４を介してベッドの被検体に向けてＸ線を照射する。また、Ｘ線管制御部（図示省略）によってＸ線管３３から照射されるＸ線の照射時間を制御する。コリメータ３４は、照視野設定に応じてＸ線を透過する開口部分を操作してＸ線の照視野を制御する。
【００２０】
操作部４は、移動式台車２の移動に関する操作を行う棒状のハンドル４１と、Ｘ線撮影に関する入力操作を行う入力操作パネル４２とを備えている。棒状のハンドル４１を運転者ＤＲが把持して押すことで走行方向Ｒ１に向かって移動式台車２を前方に移動させる。運転者ＤＲがハンドル４１に対して左右の押す方向を変えることで移動式台車２の走行方向Ｒ１を自在に変えることが可能である。また、運転者ＤＲがハンドル４１を把持して手前に引くことで上述した走行用駆動モータ（図示省略）を逆転させて走行方向Ｒ１に向かって移動式台車２をバックさせることも可能である。運転者ＤＲは撮影技師であってもよいし、撮影技師以外の者が運転者ＤＲとなってもよい。
【００２１】
入力操作パネル４２は、上述した管電圧や管電流やＸ線の照射時間などの撮影条件を入力したり、あるいはコリメータ３４の開口部分のサイズを入力設定するためのパネルである。撮影時に、撮影技師は、撮影条件を入力操作パネル４２に入力して、上述したＸ線制御部（図示省略）を介してＸ線管３３を制御する。
【００２２】
従来と同様に、ハンドル４１や入力操作パネル４２の操作部４の傍らに曝射スイッチ５１を配設している。これは、ハンドル４１による移動式台車２の運転時から撮影時に移行するときに運転者ＤＲである撮影技師が曝射スイッチ５１を即座に押して、Ｘ線管３３からＸ線を照射できるようにするためである。なお、操作部４の傍らに曝射スイッチ５１を配設するのであれば、具体的な配設態様については特に限定されない。例えば、移動式台車２の走行方向Ｒ１に向かって左右のいずれかに曝射スイッチ５１を配設してもよいし、左右の両方に曝射スイッチ５１をともに配設してもよいし、中央部分のみに曝射スイッチ５１を配設してもよい。このように、従来では、ハンドル４１や入力操作パネル４２の操作部４の傍らに曝射スイッチ５１を配設しているのに加えて、下記のような箇所にも曝射スイッチを配設している。
【００２３】
本実施例１では、移動式台車２の走行方向Ｒ１に向かって前方に撮影技師が立って撮影を行いやすくするために、その前方に曝射スイッチ５２を配設している。図１では、移動式台車２の走行方向Ｒ１に向かって台車本体２１の前方に曝射スイッチ５２を配設している。なお、移動式台車２の走行方向Ｒ１に向かって前方であれば、台車本体２１の前方に限定されず、Ｘ線照射部３の支柱３１も前方となり、後述する実施例３のようにＸ線照射部３の支柱３１に曝射スイッチを配設してもよい。このように、動式台車２の走行方向Ｒ１に向かって前方は、図１の場合には、台車本体２１の前方のみならず、支柱３１も含まれる。曝射スイッチ５１，５２は、この発明における曝射スイッチに相当する。
【００２４】
移動式台車２の運転時について説明する。本実施例１に係る回診用Ｘ線撮影装置１をベッドがある所定の場所に移動させる場合、運転者ＤＲは棒状のハンドル４１を把持して押すことで、上述した走行用駆動モータ（図示省略）を正転させて走行方向Ｒ１に向かって移動式台車２を前方に移動させる。なお、運転時には、イメージングプレートやフラットパネル型Ｘ線検出器などに代表されるＸ線検出部（図示省略）を、台車本体２１内の空いたスペース内あるいは台車本体２１の側面部に収納してベッドまで搬送してもよい。走行方向Ｒ１の向きを変える場合には、上述したように運転者ＤＲがハンドル４１に対して左右の押す方向を変えることで行う。また、必要に応じて移動式台車２をバックさせる場合には、上述したように運転者ＤＲがハンドル４１を把持して手前に引くことで行う。
【００２５】
Ｘ線照射部３などとともに移動式台車２をベッドまで移動させることで本実施例１に係る回診用Ｘ線撮影装置１を移動させる。ベッドまで移動させたら、適宜、走行方向Ｒ１の向きを変える、あるいは移動式台車２をバックさせて、移動式台車２を所定の姿勢でベッドにつける。上述したように、移動式台車２の走行方向Ｒ１に向かって前方にベッドをつけてＸ線撮影を行う場合には、水平アーム３２，Ｘ線管３３およびコリメータ３４を水平面内に１８０°回転させ、移動式台車２の走行方向Ｒ１に向かって右側あるいは左側にベッドを横づけしてＸ線撮影を行う場合には、水平アーム３２，Ｘ線管３３およびコリメータ３４を水平面内に９０°回転させ、移動式台車２の走行方向Ｒ１に向かって斜めにベッドをつけてＸ線撮影を行う場合には、水平アーム３２，Ｘ線管３３およびコリメータ３４を水平面内に、ベッドの長手方向に対して直交するように回転させる。また、必要に応じて、支柱３１に対して水平アーム３２を昇降移動させて、水平アーム３２に鉛直支持されたＸ線管３３およびコリメータ３４を昇降移動させて高さを調節する。
【００２６】
次に、Ｘ線撮影について説明する。移動式台車２を所定の姿勢でベッドにつけたら、ベッドに予め装着されたＸ線検出器（図示省略）の上に被検体の関心領域が位置するように被検体をベッドに載置する。なお、上述したようにＸ線検出部を台車本体２１に収納してベッドまで搬送した場合には、ベッドへのＸ線検出部の装着を、被検体を載置する前に行ってもよいし、被検体を載置した後に行ってもよい。そして、撮影条件やコリメータ３４の開口部分のサイズを入力操作パネル４２に入力して撮影準備に移行する。
【００２７】
もし、移動式台車２の走行方向Ｒ１に向かって前方にベッドをつけて、かつベッドの被検体を介添えさせながら撮影を行う場合には、撮影技師は前方に立つ。そして、被検体を介添えさせながら空いている手の指で、移動式台車２の走行方向Ｒ１に向かって台車本体２１の前方に配設された曝射スイッチ５２を押すことで、上述した撮影条件等の下でＸ線管２２からＸ線を被検体に向けて照射する。被検体を透過したＸ線をＸ線検出部（図示省略）が検出して画像処理を行うことでＸ線撮影を行う。なお、画像処理については、移動式台車２をベッドにつけている段階で行ってもよいし、撮影後に、別室にある画像処理を行う画像処理部（図示省略）までＸ線検出部とともに移動式台車２を移動させてから画像処理部が行ってもよい。撮影が終了したら、水平アーム３２，Ｘ線管３３およびコリメータ３４を水平面内に回転させて、図１の状態に戻す。
【００２８】
撮影終了後、相部屋内で続けて撮影を行う場合には、相部屋内の別のベッドまで移動式台車２を移動させて、次の撮影準備を行う。別の場所で撮影を行う場合には、その場所まで移動式台車２を移動させて、次の撮影準備を行う。次の撮影がない場合には、別室にある画像処理部（図示省略）あるいは撮影準備を行う別室まで移動式台車２を移動させて、一連の回診を終了する。
【００２９】
上述の構成を備えた本実施例１に係る回診用Ｘ線撮影装置１によれば、従来では操作部４に曝射スイッチ５１を配設しているのに加えて、さらに、操作部４とは別の箇所にも曝射スイッチを配設することで、いかなる撮影状況であっても撮影技師は曝射スイッチに手が届き、曝射スイッチを押すことができる。
【００３０】
本実施例１では、移動式台車２の走行方向Ｒ１に向かって前方に撮影技師が立って撮影を行う場合には、その前方に曝射スイッチ５２を配設することで、操作部４とは別の箇所にも曝射スイッチ５２を配設している。このように前方に曝射スイッチ５２を配設することで、前方に撮影技師が立って撮影を行う場合に撮影技師は曝射スイッチ５２に手が届き、曝射スイッチ５２を押すことができる。
【実施例２】
【００３１】
次に、図面を参照してこの発明の実施例２を説明する。
図２は、実施例２に係る回診用Ｘ線撮影装置の概略側面図である。上述した実施例１と共通する箇所については、同じ符号を付して、その説明を省略する。
【００３２】
上述した実施例１では、移動式台車２の走行方向Ｒ１に向かって前方に曝射スイッチ５２を配設することで、操作部４とは別の箇所にも曝射スイッチ５２を配設したが、本実施例２では、Ｘ線撮影を行う領域である撮影領域側に曝射スイッチを配設することで、操作部４とは別の箇所にも曝射スイッチを配設している。具体的には、図２に示すように、移動式台車２の走行方向Ｒ１に向かって台車本体２１の右側面あるいは左側面に曝射スイッチ５３を配設している。図２では、台車本体２１の左側面に曝射スイッチ５３を配設している場合を図示している。曝射スイッチ５１の配設位置については、実施例１と同じである。曝射スイッチ５１，５３は、この発明における曝射スイッチに相当する。
【００３３】
また、本実施例２では、水平アーム３２，Ｘ線管３３およびコリメータ３４を水平面内に９０°回転させて、移動式台車２の走行方向Ｒ１に向かって右側あるいは左側にベッドを横づけしてＸ線撮影を行う。したがって、撮影領域は、台車本体２１の右側面あるいは左側面や、水平面内に９０°回転した水平アーム３２，Ｘ線管３３およびコリメータ３４などからなるＸ線照射部３が位置する領域となる。なお、上述した実施例１のように、水平アーム３２，Ｘ線管３３およびコリメータ３４を水平面内に１８０°回転させ、移動式台車２の走行方向Ｒ１に向かって前方にベッドをつけてＸ線撮影を行う場合には、撮影領域は、台車本体２１の前側正面や、水平面内に１８０°回転した水平アーム３２，Ｘ線管３３およびコリメータ３４などからなるＸ線照射部３が位置する領域となる。
【００３４】
このように、撮影領域であれば、移動式台車２の走行方向Ｒ１に向かって右側あるいは左側にベッドを横づけしてＸ線撮影を行う場合のときの台車本体２１の右側面あるいは左側面に限定されず、上述したように移動式台車２の走行方向Ｒ１に向かって前方にベッドをつけてＸ線撮影を行う場合のときの台車本体２１の前側正面も撮影領域となり、前側正面に曝射スイッチを配設してもよい。また、移動式台車２の走行方向Ｒ１に向かって右側あるいは左側にベッドを横づけしてＸ線撮影を行う場合に限らず、水平アーム３２，Ｘ線管３３およびコリメータ３４を水平面内に回転させれば、回転した水平アーム３２，Ｘ線管３３およびコリメータ３４などからなるＸ線照射部３が位置する領域も撮影領域となり、後述する実施例３のようにＸ線照射部３の支柱３１や水平アーム３２やコリメータ３４などに曝射スイッチを配設してもよい。このように、撮影領域は、図２の場合には、台車本体２１の右側面あるいは左側面のみならず、支柱３１や水平アーム３２やコリメータ３４なども含まれる。また、撮影領域は、台車本体２１の右側面あるいは左側面のみならず、移動式台車２の台車本体２１をベッドにつける方向に応じて変わり、例えば上述した実施例１のように移動式台車２の走行方向Ｒ１に向かって前方にベッドをつけてＸ線撮影を行う場合には台車本体１の前側正面も含まれる。
【００３５】
移動式台車の運転時の説明については省略する。もし、移動式台車２の走行方向Ｒ１に向かって右側あるいは左側にベッドを横づけして、かつベッドの被検体を介添えさせながら撮影を行う場合には、撮影技師は撮影領域側である左側方あるいは右側方に立つ。そして、被検体を介添えさせながら空いている手の指で、移動式台車２の走行方向Ｒ１に向かって台車本体２１の右側面あるいは左側面に配設された曝射スイッチ５３を押すことで、上述した撮影条件等の下でＸ線管２２からＸ線を被検体に向けて照射する。被検体を透過したＸ線をＸ線検出部（図示省略）が検出して画像処理を行うことでＸ線撮影を行う。その他の撮影や撮影終了後の説明については省略する。
【００３６】
上述の構成を備えた本実施例２に係る回診用Ｘ線撮影装置１によれば、上述した実施例１と同様に、従来では操作部４に曝射スイッチ５１を配設しているのに加えて、さらに、操作部４とは別の箇所にも曝射スイッチを配設することで、いかなる撮影状況であっても曝射スイッチを押すことができる。
【００３７】
本実施例２では、Ｘ線撮影を行う領域である撮影領域側に撮影技師が立って撮影を行う場合には、その撮影領域側である台車本体２１の右側面あるいは左側面に曝射スイッチ５３を配設することで、操作部４とは別の箇所にも曝射スイッチ５３を配設している。このように撮影領域側である台車本体２１の右側面あるいは左側面に曝射スイッチ５３を配設することで、撮影領域側である左側方あるいは右側方に撮影技師が立って撮影を行う場合に撮影技師は曝射スイッチ５３に手が届き、曝射スイッチ５３を押すことができる。
【実施例３】
【００３８】
次に、図面を参照してこの発明の実施例３を説明する。
図３は、実施例３に係る回診用Ｘ線撮影装置の概略側面図である。上述した実施例１，２と共通する箇所については、同じ符号を付して、その説明を省略する。
【００３９】
上述した実施例１では、移動式台車２の走行方向Ｒ１に向かって前方に曝射スイッチ５２を配設し、上述した実施例２では、Ｘ線撮影を行う領域である撮影領域側に曝射スイッチを配設することで、操作部４とは別の箇所にも曝射スイッチ５２を配設したが、本実施例３では、Ｘ線照射部３に曝射スイッチを配設することで、操作部４とは別の箇所にも曝射スイッチを配設している。具体的には、図３に示すように、Ｘ線照射部３の支柱３１に曝射スイッチ５４を配設するとともに、Ｘ線照射部３の水平アーム３２に曝射スイッチ５５を配設し、さらにＸ線照射部３のコリメータ３４に曝射スイッチ５６を配設している。図２では、支柱３１の前側正面に曝射スイッチ５４を配設するとともに、水平アーム３２の左側面に曝射スイッチ５５を配設し、さらにコリメータ３４の右側面に曝射スイッチ５６を配設している場合を図示している。曝射スイッチ５１の配設位置については、実施例１と同じである。曝射スイッチ５１，５４〜５６は、この発明における曝射スイッチに相当する。
【００４０】
水平アーム３２，Ｘ線管３３およびコリメータ３４を水平面内に１８０°回転させ、移動式台車２の走行方向Ｒ１に向かって前方にベッドをつけてＸ線撮影を行う場合においても、水平アーム３２，Ｘ線管３３およびコリメータ３４を水平面内に９０°回転させて、移動式台車２の走行方向Ｒ１に向かって右側あるいは左側にベッドを横づけしてＸ線撮影を行う場合においても、Ｘ線照射部３に配設された曝射スイッチ５４〜５６の位置は、撮影領域に常に位置する領域となる。換言すれば、曝射スイッチ５４〜５６の配設位置に着目すると、上述した実施例２のように撮影領域側に曝射スイッチ５４〜５６を配設しているとも言える。また、水平アーム３２，Ｘ線管３３およびコリメータ３４を水平面内に１８０°回転させ、移動式台車２の走行方向Ｒ１に向かって前方にベッドをつけてＸ線撮影を行う場合では、支柱３１に配設された曝射スイッチ５４の位置は、移動式台車２の走行方向Ｒ１に向かって前方に位置する。換言すれば、曝射スイッチ５４の配設位置に着目すると、上述した実施例１のように移動式台車２の走行方向Ｒ１に向かって前方に曝射スイッチ５４を配設しているとも言える。
【００４１】
移動式台車の運転時の説明については省略する。もし、移動式台車２の走行方向Ｒ１に向かって前方にベッドをつけて、かつベッドの被検体を介添えさせながら撮影を行う場合には、撮影技師はＸ線照射部３に立つ。そして、被検体を介添えさせながら空いている手の指で、撮影技師から見て曝射スイッチ５４〜５６のうちもっとも近い曝射スイッチを押すことで、上述した撮影条件等の下でＸ線管２２からＸ線を被検体に向けて照射する。被検体を透過したＸ線をＸ線検出部（図示省略）が検出して画像処理を行うことでＸ線撮影を行う。その他の撮影や撮影終了後の説明については省略する。
【００４２】
上述の構成を備えた本実施例３に係る回診用Ｘ線撮影装置１によれば、上述した実施例１，２と同様に、従来では操作部４に曝射スイッチ５１を配設しているのに加えて、さらに、操作部４とは別の箇所にも曝射スイッチを配設することで、いかなる撮影状況であっても曝射スイッチを押すことができる。
【００４３】
本実施例３では、Ｘ線照射部３に撮影技師が立って撮影を行う場合には、そのＸ線照射３に曝射スイッチ５４〜５６を配設することで、操作部４とは別の箇所にも曝射スイッチ５４〜５６を配設している。このようにＸ線照射部３に曝射スイッチ５４〜５６を配設することで、Ｘ線照射部３に撮影技師が立って撮影を行う場合に撮影技師は曝射スイッチ５４〜５６に手が届き、曝射スイッチ５４〜５６を押すことができる。
【００４４】
この発明は、上記実施形態に限られることはなく、下記のように変形実施することができる。
【００４５】
（１）上述した各実施例では、移動式Ｘ線撮影装置として回診用Ｘ線撮影装置を例に採って説明したが、回診用以外の用途であっても、移動式台車と、その移動式台車に設けられてＸ線を照射することでＸ線撮影を行うＸ線照射手段とを備えた構成であれば、適用することができる。
【００４６】
（２）上述した各実施例を組み合わせてもよい。すなわち、移動式台車２の走行方向Ｒ１に向かって台車本体２１の前方に曝射スイッチ５２を配設するとともに、移動式台車２の走行方向Ｒ１に向かって台車本体２１の右側面あるいは左側面に曝射スイッチ５３を配設し、Ｘ線照射部３に曝射スイッチ５４〜５６をそれぞれ配設してもよい。また、実施例１，２や実施例２，３や実施例１，３の組み合わせでもよい。
【符号の説明】
【００４７】
１  …  回診用Ｘ線撮影装置
２  …  移動式台車
３  …  Ｘ線照射部
４  …  操作部
４１  …  ハンドル
４２  …  入力操作パネル
５１〜５６  …  曝射スイッチ
Ｒ１  …  走行方向
【図１】
2011083649.tif 000003
【図２】
2011083649.tif 000004
【図３】
2011083649.tif 000005